(57)【要約】【課題】本発明は、ガラス製のフロントパネルを本体部に取り付ける際に、このフロントパネルの破損をより確実に防止することができる空気清浄機を提供する。【解決手段】本発明の空気清浄機１００は、取り入れた空気を浄化して排出する本体部１１と、この本体部１１の前面に取り付けられるフロントガラスパネルユニット１２と、を備え、前記フロントガラスパネルユニット１２は、前記本体部１１に対する取り付け前の仮組み時に当該本体部１１に係止される被係止部２３を備えることを特徴とする。【選択図】図２
2016049476.tif 000002
【特許請求の範囲】
【請求項１】
取り入れた空気を浄化して排出する本体部と、
この本体部の前面に取り付けられるフロントガラスパネルユニットと、
を備え、
前記フロントガラスパネルユニットは、前記本体部に対する取り付け前の仮組み時に当該本体部に係止される被係止部を備えることを特徴とする空気清浄機。
【請求項２】
前記被係止部は、前記フロントガラスパネルユニットの上端部と下端部との間で所定の位置に設けられる第１被係止部と、
前記フロントガラスパネルユニットの下端部に設けられる第２被係止部と、
で構成されていることを特徴とする請求項１に記載の空気清浄機。
【請求項３】
前記フロントガラスパネルユニットは、前記本体部に対する本組み時に当該本体部に固定される固定部を備え、
前記固定部は、前記第１被係止部よりも上方に形成されていることを特徴とする請求項２に記載の空気清浄機。
【請求項４】
前記第１被係止部、及び当該第１被係止部を係止する前記本体部の係止部のいずれか一方は、いずれか他方を引っ掛けるフックであることを特徴とする請求項２に記載の空気清浄機。
【請求項５】
前記固定部は、前記本体部側から挿通されるボルトで締結されることを特徴とする請求項３に記載の空気清浄機。
【発明の詳細な説明】
【技術分野】
【０００１】
本発明は、空気清浄機に関する。
【背景技術】
【０００２】
従来、空気清浄機としては、送風装置を駆動することによって、本体部内に取り入れた空気をフィルタで浄化した後に本体部外に排出するものが知られている（例えば、特許文献１参照）。
本体部の前面にはフロントパネルが配置され、このフロントパネルは空気清浄機の前部の意匠面を形成している。
このようなフロントパネルは、一般に樹脂製で比較的軽量であるため、空気清浄機の製造時における本体部への取り付け作業を容易にしている。
【先行技術文献】
【特許文献】
【０００３】
【特許文献１】特開２０１４−６９１０３号公報
【発明の概要】
【発明が解決しようとする課題】
【０００４】
しかしながら、樹脂製のフロントパネルは傷付き易いという恐れがある。そこで、フロントパネルをガラスで形成することも考えられる。このようなガラス製のフロントパネルは、樹脂製のものよりも硬度が高く、また化学的安定性にも優れているため空気清浄機の前面における美観を維持し易い。
しかしながら、ガラス製のフロントパネルは、樹脂製のものよりも重く、耐衝撃性に劣る問題がある。そのため、ガラス製のフロントパネルは、樹脂製のものよりも本体部への取り付け作業時にハンドリングに注意を要し、ハンドリングを誤って破損する恐れもある。
【０００５】
本発明の課題は、ガラス製のフロントパネルを本体部に取り付ける際に、このフロントパネルの破損する恐れを抑制することができる空気清浄機を提供することにある。
【課題を解決するための手段】
【０００６】
前記課題を解決した本発明の空気清浄機は、取り入れた空気を浄化して排出する本体部と、この本体部の前面に取り付けられるフロントガラスパネルユニットと、を備え、前記フロントガラスパネルユニットは、前記本体部に対する取り付け前の仮組み時に当該本体部に係止される被係止部を備えることを特徴とする。
【発明の効果】
【０００７】
本発明によれば、ガラス製のフロントパネルを本体部に取り付ける際に、このフロントパネルの破損する恐れを抑制することができる空気清浄機を提供することができる。
【図面の簡単な説明】
【０００８】
【図１】本発明の実施形態に係る空気清浄機を前側左斜め上方から見下ろした様子を示す斜視図である。
【図２】図１の空気清浄機の本体部からフロントガラスパネルユニットを部分的に取り外し、後側右斜め上方から見下ろした様子を示す斜視図である。
【図３】図１の空気清浄機の本体部の斜視図である。
【図４】図１の空気清浄機の側断面図である。
【図５】図１の空気清浄機の分解斜視図である。
【図６】（ａ）は、フロントガラスパネルユニットの正面図、（ｂ）は、（ａ）のVI−VI断面図である。
【図７】図６のフロントガラスパネルユニットの分解斜視図である。
【図８】図７のフロントガラスパネルユニットを構成するタッチスイッチ装置の分解斜視図である。
【図９】（ａ）から（ｃ）は、フロントガラスパネルの表示部と入力部の投影状態説明図である。
【図１０】空気清浄機における制御部の動作手順を説明するフローチャートである。
【発明を実施するための形態】
【０００９】
以下に、本発明の実施形態について適宜図面を参照しながら詳細に説明する。
図１は、本実施形態に係る空気清浄機１００を前側左斜め上方から見下ろした様子を示す斜視図、図２は、図１の空気清浄機１００の本体部１１からフロントガラスパネルユニット１２を部分的に取り外し、後側右斜め上方から見下ろした様子を示す斜視図である。なお、以下の説明における前後左右上下の方向は、図１に示す空気清浄機１００の前後左右上下の方向を基準とする。
【００１０】
図１に示すように、空気清浄機１００は、略直方体形状を呈しており、本体部１１と、この本体部１１の前面に取り付けられるフロントガラスパネルユニット１２と、を備えている。
【００１１】
フロントガラスパネルユニット１２は、空気清浄機１００の前部の意匠面を形成するフロントガラスパネル１６を有している。
後記するタッチスイッチ装置２８を備えるフロントガラスパネル１６は、タッチパネルになっており、ユーザが手指でタッチパネルの後記する入力部１７（図９（ｂ）参照）のタッチ部１７ａ（図９（ｂ）参照）に触れると、空気清浄機１００の操作を行うことができるようになっている。
なお、図１に示す空気清浄機１００の初期状態では、入力部１７はフロントガラスパネル１６に現れておらず、後記するように、表示要求部１９がユーザによりタッチされたときにのみ入力部１７はフロントガラスパネル１６に表示される。
【００１２】
また、フロントガラスパネル１６には、空気清浄機１００の出力情報を表示する表示部１８が形成されている。
表示部１８は、フロントガラスパネル１６の上部の右角に形成されている。なお、本実施形態での表示部１８には、この空気清浄機１００が配置される室内の空気環境の出力情報、つまり室内の湿度、温度等の空気清浄機１００による測定値が表示される。ちなみに、出力情報は、これらに限定されるものではなく、空気清浄機１００が粉塵量等の他の空気環境を測定可能なものであればその測定値を出力情報に含めることができる。
【００１３】
前記の表示要求部１９は、表示部１８の下部で入力部１７（図９（ｂ）参照）の右側に横並びとなるようにフロントガラスパネル１６に配置されている。この表示要求部１９は、ユーザが視認可能なように、フロントガラスパネル１６の表面に所定の文字図形が印刷されてその位置が特定されている。
なお、フロントガラスパネル１６の入力部１７（図９（ｂ）参照）、表示部１８及び表示要求部１９の構成については、後に詳しく説明する。
【００１４】
図２に示すように、フロントガラスパネルユニット１２の内側（本体部１１側）には、本体部１１の後記する第１係止部４９（図３参照）に係止される第１被係止部２３が設けられている。この第１被係止部２３は、後記する第２被係止部２４（図６参照）とともに、特許請求の範囲にいう「被係止部」を構成する。
【００１５】
図２中、符号２５は、本体部１１の後記するボルト１５ｃ（図３参照）が螺合する締結穴である。この締結穴２５は、フロントガラスパネルユニット１２の上部の左右両端のそれぞれに形成されているが、図２では、作図の便宜上、左側の締結穴２５のみ図示し、右側の締結穴２５は図示を省略する。
この締結穴２５は、特許請求の範囲にいう「固定部」に相当する。
以下では、まず本体部１１の構成について説明した後に、フロントガラスパネルユニット１２の構成について詳しく説明する。
【００１６】
＜本体部＞
図１及び図２に示すように、本体部１１は、左右一対のサイドパネル１３ａ，１３ａ（図１には左側のサイドパネル１３ａのみを図示し、図２には右側のサイドパネル１３ａのみを図示している）と、アッパケース１３ｂと、リアパネル１３ｃ（図２にのみ図示）と、からなるハウジング１３を有している。
【００１７】
このハウジング１３は、後記するタンクベース５２（図５参照）と、これに取り付けられるフレーム１５（図５参照）とを介して組み立てられている。
左側のサイドパネル１３ａには、図１に示すように、開閉蓋１３ｅが設けられ、この開閉蓋１３ｅを開くことで後記する加湿フィルタ４１（図５参照）が取り出し可能となっている。符号５３ａは、後記する水タンク５３（図５参照）と一体に形成されたタンク壁である。
【００１８】
本体部１１の上面には、フラップ１０が設けられている。このフラップ１０は、後縁側を軸にして前縁側が持ち上がるように回動して開く構成となっており、開いたフラップ１０からは後記するように本体部１１で浄化された空気が排出されるようになっている。符号１３ｆは、空気清浄機１００の主電源ボタンである。
ちなみに、本体部１１内への空気の取り入れは、図２に示すように、リアパネル１３ｃに形成された空気吸入口１３ｄを介して行われることとなる。
【００１９】
図３は、図１の空気清浄機１００の本体部１１の斜視図である。
本体部１１（図２参照）からフロントガラスパネルユニット１２（図２参照）を取り除くと、図３に示すように、本体部１１の前面には送風装置４４と、タンクベース５２とが臨むこととなる。
【００２０】
送風装置４４のスクロール４６には、このスクロール４６と一体になるように第１係止部４９が形成されている。第１係止部４９は、前記のように、フロントガラスパネルユニット１２（図２参照）の第１被係止部２３（図２参照）を係止する。この第１係止部４９は、特許請求の範囲にいう「係止部」に相当する。
【００２１】
この第１係止部４９は、スクロール４６の円筒部の上面で前後方向に延在する支持部４９ａと、この支持部４９ａの前端に設けられる突出片４９ｂとを有するフックで構成されている。
支持部４９ａは、断面視でＤ字状の筒体で形成されている。突出片４９ｂは、支持部４９ａの前端の上面で上方に突出するように形成されて前記のフックを形成している。
【００２２】
タンクベース５２の下部には、その前縁に沿うように延びる２つ溝部５８ａで第２係止部５８が形成されている。この第２係止部５８には、後記するフロントガラスパネルユニット１２（図６参照）の第２被係止部２４（第６参照）が嵌り込むようになっている。これにより第２係止部５８は、フロントガラスパネルユニット１２（第６参照）の下端縁を、支持するようになっている。
【００２３】
また、本体部１１の前側上部には、左右両端のそれぞれに締結機構１５ａが設けられている。この締結機構１５ａは、後記するフレーム１５（図５参照）に設けられるブラケット１５ｂと、これに挿通されるボルト１５ｃとで形成されている。このボルト１５ｃは、前記の固定部としての締結穴２５（図２参照）に螺合することによって、本体部１１と、フロントガラスパネルユニット１２とを締結する。
【００２４】
図４は、図１の空気清浄機１００の側断面図、図５は、図１の空気清浄機１００の分解斜視図である。
図４及び図５に示すように、空気清浄機１００のハウジング１３内には、リアパネル１３ｃ側から前側に向かって、浄化フィルタユニット４２と、加湿フィルタ４１と、送風装置４４と、がこの順番で配置されている。
なお、後に詳しく説明するが、浄化フィルタユニット４２は、プレフィルタ４２ａと、集塵フィルタ４２ｂと、脱臭フィルタ４２ｃとで主に構成されている。また、送風装置４４は、遠心ファン４５と、スクロール４６と、モータ４７とで主に構成されている。
【００２５】
ちなみに、このハウジング１３内には、後記する送風装置４４の遠心ファン４５が回転することによって、リアパネル１３ｃの両側縁部の空気吸入口１３ｄからハウジング１３の外部の空気が流入する。そして、この空気流は、浄化フィルタユニット４２と、加湿フィルタ４１と、をこの順番で流通する。その後、空気は、遠心ファン４５が収納されるスクロール４６の上部開口からフィルタ１０ａ（図５参照）及びフラップ１０を介して空気清浄機１００のハウジング１３外に送り出される。
なお、符号４８はプレートである。このプレート４８は、遠心ファン４５を間においてスクロール４６と面するように配置され、スクロール４６の蓋の役割を果たすものである。
【００２６】
浄化フィルタユニット４２は、リアパネル１３ｃ側から前側に向かって、前記のように、プレフィルタ４２ａと、集塵フィルタ４２ｂと、脱臭フィルタ４２ｃと、がこの順番で配置されて構成されている。
【００２７】
プレフィルタ４２ａは、綿ゴミ等の比較的大きなゴミを捕集するものである。集塵フィルタ４２ｂは、チリ、ホコリ、花粉等の比較的小さな微粒子を捕集するものである。脱臭フィルタ４２ｃは、臭いの元となる化学物質を吸着するものである。
【００２８】
加湿フィルタ４１は、後記する給水機構５１によって水が供給されて湿潤し、これを流通する空気の湿度を高めるものである。
【００２９】
送風装置４４は、前記したように、遠心ファン４５が回転することにより、リアパネル１３ｃの空気吸入口１３ｄから導入した空気を浄化フィルタユニット４２及び加湿フィルタ４１に流通させた後、フラップ１０を介してハウジング１３外に送り出す。
【００３０】
給水機構５１は、タンクベース５２に収納される水タンク５３と、水タンク５３に貯留される水を汲み上げるポンプ５４（図５参照）と、加湿フィルタ４１に配置される給水管５５（図５参照）と、ポンプ５４（図５参照）と給水管５５（図５参照）とを連結する連結管５６と、水タンク５３内に留置され、ポンプ５４と連結する汲み上げ管５７（図４参照）とを備えている。
【００３１】
タンクベース５２は、図５に示すように、略直方体の箱体で形成され、その側部開口から水タンク５３の出し入れができるようになっている。このタンクベース５２の上面には、加湿フィルタ４１が載置される受け皿５９が設けられ、この受け皿５９には、タンクベース５２内と連通する図示しない連通孔が形成されている。
【００３２】
水タンク５３は、略直方体の箱体で形成され、その内部には加湿フィルタ４１に供給される水が貯留されるようになっている。
符号５３ｂは、水タンク５３の上面に形成された連通孔であり、この連通孔５３ｂは、水タンク５３の内外を連通させている。
このような給水機構５１は、水タンク５３の水を、ポンプ５４、加湿フィルタ４１、再び水タンク５３へと循環させるようになっている。
【００３３】
また、本体部１１は、図示しないが、この空気清浄機１００が配置される室内の温度及び湿度を検出する検出機構を備えている。また、本実施形態での空気清浄機１００の検出機構（図示省略）は、検出した湿度の出力信号を後記する制御回路基板３０（図８参照）の制御部に送信し、制御部は、後記するように、この出力信号に基づいて当該湿度を表示部１８（図１参照）に表示させるように構成されている。
【００３４】
＜フロントガラスパネルユニット＞
次に、フロントガラスパネルユニット１２について説明する。
図６（ａ）は、フロントガラスパネルユニット１２の正面図、図６（ｂ）は、図６（ａ）のVI−VI断面図である。図７は、図６のフロントガラスパネルユニット１２の分解斜視図である。
【００３５】
図６（ａ）及び（ｂ）に示すように、フロントガラスパネルユニット１２は、前後方向に薄い略直方体形状を呈している。なお、図６（ａ）中、符号１９は、フロントガラスパネル１６に印刷された表示要求部である。
フロントガラスパネルユニット１２は、空気清浄機１００（図１参照）の正面形状に合わせて、正面視で上下に長い長方形状を呈している。
【００３６】
フロントガラスパネルユニット１２の下端には、前記のように、下方に突出する一対の突出片で形成される第２被係止部２４が形成されている。これら一対の突出片は、タンクベース５２（図３参照）に形成される第２係止部５８（図３参照）としての一対の溝部５８ａの位置に合せて形成されている。
この突出片で形成される第２被係止部２４は、図４に示すように、第２係止部５８としての一対の溝部５８ａに嵌り込むようになっている。これによりフロントガラスパネルユニット１２の下端は、本体部１１の下端に係止されて落下しないように支持されることとなる。
【００３７】
図６（ｂ）中、符号２３は、隠れ線（破線）で示す第１被係止部である。この第１被係止部２３は、前記のように、本体部１１（図３参照）の第１係止部４９（図３参照）としてのフックに引っ掛けられて係止される構造になっている。
具体的には、この第１被係止部２３は、図２に示すように、フロントガラスパネルユニット１２の裏側で左右方向に延在する棒状部材で形成されている。
【００３８】
この第１被係止部２３は、フロントガラスパネルユニット１２の上端部と下端部との間に設けられることが望ましく、上端部と下端部との中間位置よりも上方に設けられることがより望ましい。ちなみに本実施形態では、フロントガラスパネルユニット１２の上下長さの下から三分の二の位置に設けられている。
具体的には、この第１被係止部２３は、図４に示すように、スクロール４６の円筒部の上面に一体に設けられた第１係止部４９としての突出片４９ｂに係止されるように設けられている。
【００３９】
このようなフロントガラスパネルユニット１２は、図７に示すように、フロントガラスパネル１６と、枠体２１と、ベースフレーム２２と、タッチスイッチ装置２８とを備えて構成されている。
【００４０】
フロントガラスパネル１６は、前記のように、空気清浄機１００（図１参照）の前部の意匠面を形成し、タッチスイッチ装置２８を備えるフロントガラスパネル１６は、ユーザが空気清浄機１００を操作するためのタッチパネルを兼ねている。
フロントガラスパネル１６の裏面（後側面）には、塗装が施されている。これにより空気清浄機１００の前側からフロントガラスパネル１６を介してその内部が透視できないようになっている。また、後記するようにタッチスイッチ装置２８からの投光でフロントガラスパネル１６に表示部１８（図１）、入力部１７（図９（ｂ）及び（ｃ）参照）が投影されるようになる。
なお、図７中、符号１９は、フロントガラスパネル１６に印刷された表示要求部である。
【００４１】
枠体２１は、フロントガラスパネル１６の周囲を取り囲んでフロントガラスパネル１６を支持している。また、枠体２１は、次に説明するベースフレーム２２と、タッチスイッチ装置２８とをその枠内に配置して前記のフロントガラスパネル１６とともにフロントガラスパネルユニット１２の外観を形成している。また、枠体２１の上面には、主電源ボタン１３ｆが配置されている。
【００４２】
ベースフレーム２２は、枠体２１の内側に収まる略長方形状の板体で形成されており、枠体２１内でフロントガラスパネル１６との間に形成される隙間との通気を確保する肉抜き孔２６と、タッチスイッチ装置２８が嵌め込まれる開口２７が形成されている。
【００４３】
このようなベースフレーム２２は、枠体２１を介してフロントガラスパネル１６を支持するとともに、タッチスイッチ装置２８の前面がフロントガラスパネル１６の裏面に密着するようにタッチスイッチ装置２８を支持している。また、ベースフレーム２２には、その裏側（後側）に前記の第１被係止部２３が形成され、その下端に前記の第２被係止部２４が形成されている。
【００４４】
タッチスイッチ装置２８は、フロントガラスパネル１６をタッチパネルとして機能させるように構成されている。タッチスイッチ装置２８は、ユーザがフロントガラスパネル１６を手指でタッチした際に発生する微弱な電流、つまり静電容量（電荷）の変化を、後記する静電容量センサ３３ａ，３３ｂ（図８参照）で検知する、いわゆる静電容量方式のタッチスイッチである。このタッチスイッチは、表面型及び投影型のいずれの静電容量方式でも使用することができる。
【００４５】
また、タッチスイッチ装置２８は、後記する所定のタイミングでフロントガラスパネル１６に、後記する表示部１８（図９（ａ）参照）と後記の入力部１７（図９（ｂ）参照）とを投影するように構成されている。
【００４６】
図８は、タッチスイッチ装置２８の分解斜視図である。なお図８中、静電容量センサ３３ａ，３３ｂは、作図の便宜上、仮想線（破線）で示している。
図８に示すように、タッチスイッチ装置２８は、ケーシングパネル２９と、制御回路基板３０と、遮光板３１と、静電容量センサ３３ａ，３３ｂを搭載するセンサ基板３２と、入力部導光板３４と、表示部１８（図９（ａ）参照）及び入力部（図９（ｂ）参照）の投影形状を透明に抜いた投影部３６を有する印刷フィルム３５とを備えている。以下、この透明の１つの抜き部分を１単位として、透明部分単位と称することがある。
ちなみに投影部３６は、後記するように、表示部１８（図９（ａ）参照）を投影する表示部投影部３６ａと、入力部１７（図９（ｂ）参照）のメニュー１７ｂ（図９（ｂ）参照）を投影するメニュー投影部３６ｂと、入力部１７（図９（ｂ）参照）のタッチ部１７ａ（図９（ｂ）参照）を投影するタッチ部投影部３６ｃとからなる。
【００４７】
ケーシングパネル２９は、上下方向の上側に第１収納部２９ａが形成され、下側に第２収納部２９ｂが形成されている。また、ケーシングパネル２９内には、第１収納部２９ａが第２収納部２９ｂよりも後方に凹むように段差が形成されている。
【００４８】
第１収納部２９ａには、遮光板３１と制御回路基板３０とが前後方向にこの順番で重ねて収納され、第２収納部２９ｂには、入力部導光板３４とセンサ基板３２とが前後方向にこの順番で重ねて収納されるようになっている。この際、第１収納部２９ａ内に配置された遮光板３１の前面と、第２収納部２９ｂ内に配置された入力部導光板３４の前面とが同一面内に位置するように、前記の段差が形成されている。
【００４９】
このようなケーシングパネル２９内の最前部には、第１収納部２９ａ及び第２収納部２９ｂの両方に亘って印刷フィルム３５が配置されるようになっている。この際、印刷フィルム３５の後面は、遮光板３１の前面と入力部導光板３４の前面との両方に密着するようになっている。
【００５０】
制御回路基板３０は、ＣＰＵ（Central Processing Unit）３０ａ、不図示のメモリ等からなる制御部を備え、センサ基板３２と電気的に接続されている。
この制御部は、前記の検出機構（図示省略）の出力信号に基づいて、空気清浄機１００（図１参照）が配置される室内の湿度を表示部１８（図１参照）に表示するように構成されている。
【００５１】
また、この制御部は、ユーザのタッチパネルへのタッチ、つまり静電容量センサ３３ａ，３３ｂで検出した静電容量の変化に応じて後記する所定のタイミングで表示部１８（図９（ａ）参照）と入力部１７（図９（ｂ）参照）とをフロントガラスパネル１６（図９（ａ）及び（ｂ）参照）に投影するように構成されている。
【００５２】
また、制御回路基板３０は、印刷フィルム３５の表示部投影部３６ａに投光する複数の光源Ｌ１と、メニュー投影部３６ｂに投光する複数の光源Ｌ２とを備えている。
これらの光源Ｌ１，Ｌ２のそれぞれは、表示部投影部３６ａ及びメニュー投影部３６ｂを構成する前記の透明部分単位ごとに光が個別に照射されるように複数設けられている。
これらの光源Ｌ１，Ｌ２としては、ＬＥＤ（Light Emitting Diode）等の点光源を好適に使用することができる。なお、図８中、光源Ｌ１，Ｌ２は、作図の便宜上、模式的に示しており、光源Ｌ１，Ｌ２の位置、数量は実際のものと異なっている。
【００５３】
遮光板３１は、制御回路基板３０の各光源Ｌ１，Ｌ２に対応するように複数の光照射孔３１ａが形成された板体で構成されている。この遮光板３１によれば、光源Ｌ１，Ｌ２のそれぞれから照射される光は、対応する光照射孔３１ａのみから照射される。つまり、遮光板３１は、各光源Ｌ１，Ｌ２に対応する投影部３６の各透明部分にのみ光を照射し、対応しない透明部分には光を照射しないように構成されている。
【００５４】
センサ基板３２は、フロントガラスパネル１６（図１参照）の表示要求部１９（図１参照）に対応するように静電容量センサ３３ａを有している。また、センサ基板３２は、印刷フィルム３５のタッチ部投影部３６ｃに対応するように複数の静電容量センサ３３ｂを有している。本実施形態での静電容量センサ３３ａは、表示要求部１９（図１参照）に対応する位置に設けられ、静電容量センサ３３ｂは、各タッチ部投影部３６ｃの上方でこれに近接して設けられている。ちなみに、本実施形態での静電容量センサ３３ｂは、３つであるが、その数は設定したタッチスイッチの数に応じて増減できることは言うまでもない。
【００５５】
また、センサ基板３２は、印刷フィルム３５のタッチ部投影部３６ｃに投光する複数の光源Ｌ３を備えている。これらの光源Ｌ３のそれぞれは、タッチ部投影部３６ｃを構成する前記の透明部分単位ごとに光が個別に照射されるように複数設けられている。
これらの光源Ｌ３としては、ＬＥＤ等の点光源を好適に使用することができる。なお、図８中、光源Ｌ３は、作図の便宜上、模式的に示しており、光源Ｌ３の位置、数量は実際のものと異なっている。
【００５６】
入力部導光板３４は、センサ基板３２の光源Ｌ３から照射される光を各タッチ部投影部３６ｃに導く導光部３４ａを有している。本実施形態での導光部３４ａは、各光源Ｌ３に対応するようにセンサ基板３２に設けられたスリットで形成されている。
【００５７】
印刷フィルム３５は、前記のように、フロントガラスパネル１６（図９（ａ）参照）に表示部１８（図９（ａ）参照）を投影する表示部投影部３６ａと、入力部１７（図９（ｂ）参照）のメニュー１７ｂ（図９（ｂ）参照）を投影するメニュー投影部３６ｂと、入力部１７のタッチ部１７ａ（図９（ｂ）参照）を投影するタッチ部投影部３６ｃとを有している。
【００５８】
本実施形態での表示部投影部３６ａは、印刷フィルム３５の上部の右角に形成されている。この表示部投影部３６ａは、デジタル数字のフォントを構成するための複数の前記の透明部分単位（数字の「８８」を表すように配置された合計１４個の透明部分単位）と、「％」の文字図形からなる透明部分単位とを有している。
【００５９】
本実施形態でのメニュー投影部３６ｂは、印刷フィルム３５の上下方向の中央で、左右方向に３列横並びに形成されている。このメニュー投影部３６ｂは、フロントガラスパネル１６に３種類のメニュー１７ｂ（図９（ｂ）参照）を投影するものである。
ちなみに、メニュー１７ｂの具体例については、後に詳しく説明するが、各メニュー１７ｂは、強弱、大小、長短等の強度に応じて複数行に分けて表示されている。
そして、本実施形態でのメニュー投影部３６ｂは、各メニュー１７ｂを示す文字図形ごとに前記の透明部分単位を形成している。
【００６０】
本実施形態でのタッチ部投影部３６ｃは、印刷フィルム３５の上下方向の下部で、左右方向に３つ横並びに形成されている。このタッチ部投影部３６ｃは、フロントガラスパネル１６に３つのタッチ部１７ａ（図９（ｂ）参照）を投影するものである。
このタッチ部１７ａの具体例については、後に詳しく説明するが、本実施形態でのタッチ部投影部３６ｃは、各タッチ部１７ａを示す文字図形ごとに前記の透明部分単位を形成している。
【００６１】
次に、フロントガラスパネル１６に表示部１８と入力部１７とが投影される状態について説明する。
図９（ａ）から（ｃ）は、フロントガラスパネル１６の表示部１８と入力部１７の投影状態説明図である。
【００６２】
まず、空気清浄機１００（図１参照）の電源プラグ（図示省略）が商用電源としてのコンセント（図示省略）に接続され、主電源ボタン１３ｆ（図１参照）がオンになると、図９（ａ）に示すように、フロントガラスパネル１６の表示部１８には、前記の検出機構が検出した湿度がデジタル表示される。図９（ａ）では、「６０％」と表示部１８に表示されている。ちなみに、主電源ボタン１３ｆ（図１参照）がオンであれば、空気清浄機１００の運転及び停止のいずれの状態においても出力情報としての湿度が表示部１８に表示される。ここでの空気清浄機１００の運転とは、空気清浄機１００の通常運転を意味する。この空気清浄機１００の運転としては、例えば、前記の浄化フィルタユニット４２、加湿フィルタ４１、必要に応じて設けることができる温度調節機構（図示省略）、他の湿度調節機構（図示省略）等による空気の浄化、調湿、調温等の空気の調整運転を挙げることができる。ただし空気の調整運転は、これらに限定されるものではない。
なお、本実施形態での表示要求部１９は、「ＭＥＮＵ」の文字図形がフロントガラスパネル１６の表面に印刷が施されて形成されているので、空気清浄機１００に電力が供給されていない場合でも表示要求部１９は現れている。
【００６３】
ユーザが表示要求部１９にタッチすると、図９（ｂ）に示すように、入力部１７を構成するタッチ部１７ａと、メニュー１７ｂとがフロントガラスパネル１６に投影される。
【００６４】
本実施形態でのタッチ部１７ａは、タイマー切換えスイッチ（図９（ｂ）中、「切タイマー」と記す）と、加湿切換えスイッチ（図９（ｂ）中、「空清加湿」と記す）と、風力切換えスイッチ（図９（ｂ）中、「風量」と記す）との３つが横並びに形成されている。
【００６５】
本実施形態でのメニュー１７ｂは、タイマー切換えスイッチに対応して、タイマー２時間設定（図９（ｂ）中、「２ｈ」と記す）及びタイマー４時間設定（図９（ｂ）中、「４ｈ」と記す）の２種類と、加湿切換えスイッチに対応して、加湿なし（図９（ｂ）中、「空清」と記す）、高加湿（図９（ｂ）中、「加湿」と記す）、及び低加湿（図９（ｂ）中、「肌保湿」と記す）の３種類と、風力切換えスイッチに対応して、自動運転について「大」「中」「小」の３種類、及びターボ運転について「大」「中」「小」の３種類がそれぞれ設定されている。
【００６６】
また、入力部１７は、ユーザによりタッチ部１７ａがタッチされるたびに複数のメニュー１７ｂのうちの一のメニュー１７ｂの選択が所定の順番で入れ替わるサイクリック方式になっている。
具体的には、例えばタイマー切換えスイッチについて説明すると、図９（ｃ）に示すタイマー切換えスイッチ（図９（ｃ）中、「切タイマー」と記す）をタッチするたびに、タイマー２時間設定とタイマー４時間設定とが交互に入れ替わるようになっている。
【００６７】
そして、選択されているメニュー１７ｂは、点滅するようになっている。つまり、図９（ｃ）に示すように、タイマー４時間設定（図９（ｂ）中、「４ｈ」と記す）が選択されている場合には、「４ｈ」の文字図形が点滅するようになっている。
ちなみに、主電源ボタン１３ｆ（図１参照）をオフにすると、図９（ａ）に示すように、入力部１７は消灯して表示部１８のみが点灯する。また、図示しないが、電源プラグをコンセントから抜き去ると、表示部１８も消灯する。
【００６８】
次に、制御回路基板３０の制御部がフロントガラスパネル１６に表示部１８（図９（ａ）参照）と入力部１７（図９（ｂ）参照）とを投影する動作手順について説明する。
図１０は、空気清浄機１００における制御部の動作手順を説明するフローチャートである。
【００６９】
図１０に示すように、主電源ボタン１３ｆ（図１参照）がオンになると（ステップＳ１参照）、制御部は、前記のように検出機構（図示省略）で検出した湿度を表示部１８（図１参照）を点灯して表示する（ステップＳ２）。そして、制御部は、表示要求部１９（図１参照）がユーザにタッチされたか否かを判断し（ステップＳ３）、タッチされていないと判断した場合には（ステップＳ３のＮｏ）、このステップＳ３の手順を繰り返す。また、タッチされたと判断した場合には（ステップＳ３のＹｅｓ）、入力部１７（図９（ｂ）参照）を点灯する（ステップＳ４）。つまり、センサ基板３２（図８参照）の静電容量センサ３３ａが静電容量の変化を検知した場合には、フロントガラスパネル１６（図９（ｂ）参照）にメニュー１７ｂ（図９（ｂ）参照）とタッチ部１７ａとが投影される。
【００７０】
次に、ユーザの手指で所定のタッチ部１７ａ（図９（ｂ）参照）がタッチされることにより、メニュー１７ｂ（図９（ｂ）参照）に示される空気清浄機１００（図１参照）の所望の動作設定が行われる（ステップＳ５）。
【００７１】
この動作設定のサブルーチンでは、制御部は、入力部１７の所定のタッチ部１７ａがタッチされたか否かを判断する（ステップＳ６）。そして、タッチ部１７ａがタッチされたと判断した場合には（ステップＳ６のＹｅｓ）、制御部は、そのタッチされたタッチ部に対応する入力部１７の選択されたメニュー１７ｂ（図９（ｃ）参照）を点滅させる（ステップＳ７参照）。具体的には、前記のように、図９（ｃ）に示す「タイマー４時間設定」のメニュー１７ｂを表す「４ｈ」の文字図形が点滅する。
【００７２】
次いで、制御部は、ステップＳ３における表示要求部１９のタッチから所定時間（例えば、１分間）が経過したか否かを判断する（ステップＳ８参照）。そして、この所定時間が経過したと判断した場合には（ステップＳ８のＹｅｓ）、この動作設定のサブルーチンを終了してステップＳ９の手順に進む。
【００７３】
一方、ステップＳ６の手順で、入力部１７がタッチされていないと判断した場合には（ステップＳ６のＮｏ）には、ステップＳ８に進んで表示要求部１９のタッチから所定時間が経過したか否かを判断する（ステップＳ８参照）。そして、この所定時間が経過していないと判断した場合には（ステップＳ８のＮｏ）、ステップＳ６の手順に戻る。この所定時間が経過したと判断した場合には（ステップＳ８のＹｅｓ）、前記のとおり、この動作設定のサブルーチンを終了してステップＳ９の手順に進む。
【００７４】
ステップＳ９では、制御部は、入力部１７のメニュー１７ｂとタッチ部１７ａとを消灯する。
【００７５】
次に、制御部は、主電源ボタン１３ｆ（図１参照）がオフにされたか否かを判断する（ステップＳ１０）。そして、主電源ボタン１３ｆがオフにされていないと判断した場合には（ステップＳ１０のＮｏ）、ステップＳ３に戻って、再び表示要求部１９がタッチされたか否かを判断を繰り返して、表示要求部１９がタッチされた場合には、再び入力部１７の点灯、入力部１７による動作設定のサブルーチンを繰り返し（ステップＳ４からステップＳ８）、次いでステップＳ９及びステップＳ１１の手順を再び実行する。ちなみに、ステップＳ６の入力部１７（タッチ部１７ａ）へのタッチは、初めにタッチしたタッチ部１７ａと同じタッチ部１７ａであってもよいし、これとは異なった他の２つのいずれかのタッチ部１７ａであってもよい。
【００７６】
そして、ステップＳ１０で主電源ボタン１３ｆ（図１参照）がオフにされたと判断した場合には（ステップＳ１０のＹｅｓ）、制御部は、ステップＳ１１で表示部１８を消灯してこの動作工程を終了する。
【００７７】
以上のような本実施形態に係る空気清浄機１００の組立方法について主に図５を参照しながら説明する。
この組立方法では、まずタンクベース５２にフレーム１５が取り付けられた後、これに遠心ファン４５、スクロール４６、モータ４７、プレート４８等を組み立てた送風装置４４と、加湿フィルタ４１とが取り付けられる。
【００７８】
次いで、フレーム１５には、浄化フィルタユニット４２が取り付けられ、タンクベース５２及び加湿フィルタ４１には、水タンク５３、ポンプ５４、給水管５５、連結管５６等からなる給水機構５１が取り付けられる。
そして、スクロール４６の上部開口にフィルタ１０ａ及びフラップ１０が取り付けられた後、フレーム１５及びタンクベース５２にサイドパネル１３ａ，１３ａが取り付けられ、これらのサイドパネル１３ａ，１３ａにアッパケース１３ｂが取り付けられる。
【００７９】
次に、タンクベース５２の第２係止部５８（図３参照）にフロントパネルユニット１２の第２被係止部２４（図６参照）を係止させつつ、送風装置４４に設けた第１係止部４９（図３参照）にフロントパネルユニット１２の第１被係止部２３（図２参照）を係止させる。これにより本体部１１（図２参照）に対するフロントパネルユニット１２（図２参照）の仮組みが行われる。
【００８０】
そして、フレーム１５にブラケット１５ｂ（図３参照）を介して設けられたボルト１５ｃ（図３参照）を、フロントパネルユニット１２の締結穴２５（図２参照）に螺合させることで本体部１１（図２参照）にフロントパネルユニット１２が固定される。
【００８１】
その後、サイドパネル１３ａ，１３ａにリアパネル１３ｃが取り付けられ、タンクベース５２に水タンク５３が収納されて、この組立方法の一連の工程が終了する。
【００８２】
以上のような本実施形態に係る空気清浄機１００によれば、次のような作用効果を奏することができる。
この空気清浄機１００においては、フロントガラスパネルユニット１２は、本体部１１に対するボルト固定による取り付け前に、本体部１１の第１係止部４９及び第２係止部５８に係止される第１被係止部２３及び第２被係止部２４を備えている。
そのため、空気清浄機１００は、フロントガラスパネル１６を有するフロントガラスパネルユニット１２を本体部１１に取り付ける際に、本体部１１にフロントガラスパネルユニット１２を仮組みすることができる。
したがって、この空気清浄機１００によれば、本体部１１にフロントガラスパネルユニット１２を固定する際に、従来の樹脂製のフロントパネルと比べて重いフロントガラスパネル１６のハンドリングが容易になり、本体部１１への固定時に、フロントガラスパネル１６のハンドリングを誤って破損する恐れをより確実に防止することができる。
【００８３】
また、この空気清浄機１００によれば、フロントガラスパネルユニット１２は、フロントガラスパネルユニット１２の上端部と下端部との間で所定の位置に設けられる第１被係止部２３と、フロントガラスパネルユニット１２の下端部に設けられる第２被係止部２４との二か所で本体部１１により確実に係止される。
【００８４】
また、この空気清浄機１００では、フロントガラスパネルユニット１２の締結穴２５（固定部）が第１被係止部２３よりも上方に形成されている。そのため、締結穴２５（固定部）にボルト１５ｃを螺合させて本体部１１にフロントガラスパネルユニット１２を固定する際に、フロントガラスパネルユニット１２の上端部は、フロントガラスパネルユニット１２の下端部に設けられる第２被係止部２４を支点に本体部１１側に引き寄せられる。これにより、フロントガラスパネルユニット１２は、その上下端部のそれぞれが本体部１１に強固に取り付けられることとなる。
【００８５】
また、この空気清浄機１００では、本体部１１の第１係止部４９がフロントガラスパネルユニット１２の第１被係止部２３を引っ掛けるフックで形成されているので、本体部１１によるフロントガラスパネルユニット１２の係止を容易に行うことができる。
【００８６】
また、この空気清浄機１００では、締結穴２５（固定部）は、本体部１１側から挿通されるボルト１５ｃで締結されるので、空気清浄機１００の前部の意匠面を形成するフロントガラスパネル１６側にボルト１５ｃが見えないように締結機構１５ａを構成することができる。よって、ボルト１５ｃによって、空気清浄機１００の前部の意匠が阻害されることが回避される。
【００８７】
また、この空気清浄機１００では、リアパネル１３ｃ側から空気を吸入し、アッパケース１３ｂの上面から浄化後の空気を排出する構成としたので、本体部１１によるフロントガラスパネルユニット１２の係止構造が複雑化するのを防止することとができる。
【００８８】
また、この空気清浄機１００では、タッチスイッチ装置２８を備えるフロントガラスパネル１６が空気清浄機１００を操作するタッチパネルになっている。そして、このフロントガラスパネル１６には、空気清浄機１００の出力情報を表示する表示部１８が、フロントガラスパネル１６の上部に形成されている。
したがって、操作パネルが筺体の上面に有する従来の空気清浄機では、ユーザが空気清浄機から離れると、モニタが視認し難くなる問題があるところ、本実施形態に係る空気清浄機１００では、タッチスイッチ装置２８を備えるフロントガラスパネル１６がタッチパネルになっているため、ユーザが空気清浄機１００から離れたときにもタッチパネルの入力部１７及び表示部１８を視認し易くなっている。特に、リモートコントローラを使用して遠隔操作が可能な空気清浄機１００では、ユーザは、表示部１８に表示された湿度を参考にしつつ湿度レベルを設定しなおすことができる。
【００８９】
また、操作パネルを筺体の上面に有する従来の空気清浄機は、ユーザの手指が直接触れる操作パネルの清潔を維持するために、洗剤を使用して清掃を行いたいところ、洗剤が操作パネルと筺体との隙間から筺体内に浸入し易い問題がある。
これに対して、本実施形態に係る空気清浄機１００では、タッチスイッチ装置２８を備えるフロントガラスパネル１６がタッチパネルになっているので、湿式清拭を容易に行うことができる。
【００９０】
また、この空気清浄機１００では、フロントガラスパネル１６における入力部１７のタッチ部１７ａが表示部１８の下方に設けられているので、タッチ部１７ａを操作するユーザの手によって、表示部１８が隠れてユーザによる表示部１８の視認が阻害されることが回避される。また、タッチ部１７ａは、入力部１７のメニュー１７ｂの下方に設けられているので、タッチ部１７ａを操作するユーザの手によって、メニュー１７ｂが隠れてユーザによるメニュー１７ｂの視認が阻害されることが回避される。
【００９１】
また、空気清浄機１００は、主電源（例えば、前記主電源ボタン１３ｆ）がオンであれば、空気清浄機１００の運転及び停止のいずれの状態においても前記出力情報をフロントガラスパネル１６の表示部１８に常時表示する。これによりユーザは、この出力情報を常時監視することができる。
【００９２】
また、空気清浄機１００は、表示要求部１９がユーザによりタッチされたときにのみ入力部１７をフロントガラスパネル１６に表示するので、省エネを達成することができるとともに、表示部１８の視認が容易となる。
【００９３】
また、空気清浄機１００は、複数のメニュー１７ｂのうちの一のメニュー１７ｂの選択が所定の順番で入れ替わるサイクリック方式であるので、メニュー１７ｂを選択するためのタッチ部１７ａの数を減じることができる。
【００９４】
以上、本発明の実施形態について説明したが、本発明は前記実施形態に限定されず、種々の他の形態で実施することができる。
前記実施形態では、本体部１１の第１係止部４９をフックとし、これでフロントガラスパネル１２の第１被係止部２３を引っ掛ける構成としたが、本発明は、フロントガラスパネル１２の第１被係止部２３をフックとし、これで本体部１１の第１係止部４９を引っ掛ける構成とすることもできる。
【００９５】
また、前記実施形態では、表示部１８に室内の湿度を表示するように構成しているが、本発明は室内の温度、粉塵量（花粉を含む）等の他の出力情報を表示する構成とすることもできる。
【符号の説明】
【００９６】
１１    本体部
１２    フロントガラスパネルユニット
１３    ハウジング
１３ａ  サイドパネル
１３ｂ  アッパケース
１３ｃ  リアパネル
１３ｄ  空気吸入口
１３ｆ  主電源ボタン
１５    フレーム
１５ａ  締結機構
１６    フロントガラスパネル
１７    入力部
１７ａ  タッチ部
１７ｂ  メニュー
１８    表示部
１９    表示要求部
２１    枠体
２２    ベースフレーム
２３    第１被係止部（被係止部）
２４    第２被係止部（被係止部）
２５    締結穴（固定部）
２８    タッチスイッチ装置
２９    ケーシングパネル
２９ａ  第１収納部
２９ｂ  第２収納部
３０    制御回路基板
３１    遮光板
３１ａ  光照射孔
３２    センサ基板
３３ａ  静電容量センサ
３３ｂ  静電容量センサ
３４    入力部導光板
３５    印刷フィルム
３６    投影部
３６ａ  表示部投影部
３６ｂ  メニュー投影部
３６ｃ  タッチ部投影部
４１    加湿フィルタ
４２    浄化フィルタユニット
４４    送風装置
４５    遠心ファン
４６    スクロール
４７    モータ
４８    プレート
４９    第１係止部（係止部）
４９ａ  支持部
４９ｂ  突出片
５１    給水機構
５２    タンクベース
５３    水タンク
５４    ポンプ
５５    給水管
５６    連結管
５７    管
５８    第２係止部
１００  空気清浄機
Ｌ１    光源
Ｌ２    光源
Ｌ３    光源
【図１】
2016049476.tif 000003
【図２】
2016049476.tif 000004
【図３】
2016049476.tif 000005
【図４】
2016049476.tif 000006
【図５】
2016049476.tif 000007
【図６】
2016049476.tif 000008
【図７】
2016049476.tif 000009
【図８】
2016049476.tif 000010
【図９】
2016049476.tif 000011
【図１０】
2016049476.tif 000012